(57)【要約】【課題】  マイクロスイッチの設置場所を携帯端末側の形状を考慮して設計する必要がなく、またはマイクロスイッチが不要で、マイクロスイッチ等の破壊や、動作不良のおそれがなく、接触端子への電源供給が途切れるおそれもない接触端子構造を提供する。【解決手段】  接触板１６を有する携帯端末１側の接触端子２と、接触板１６と相対向して位置し、接触板１６に接離可能に移動可能な電源ピン１１と、電源ピン１１が接触板１６に当接して押圧された際に、電源ピン１１と当接して電源ピン１１への電力の供給を切り替えるマイクロスイッチ５とを有する置き台３側の接触端子４とを備える接触端子構造。携帯端末１のケーシングが電源ピン１１を介してマイクロスイッチ５に衝撃を与えるのを防止する障壁１８を置き台３に備えること、置き台３側の接触端子４が電源ピン１１を複数本備えることが好ましい。【選択図】  図１
2005217571.tif 000002
【特許請求の範囲】
【請求項１】
接触板を有する携帯端末側の接触端子と、
前記接触板と相対向して位置し、前記接触板に接離可能に移動可能な電源ピンと、該電源ピンが前記接触板に当接して押圧された際に、該電源ピンと当接して該電源ピンへの電力の供給を切り替えるマイクロスイッチとを有する置き台側の接触端子とを備えることを特徴とする接触端子構造。
【請求項２】
前記携帯端末のケーシングが前記電源ピンを介して前記マイクロスイッチに衝撃を与えるのを防止する障壁を前記置き台に備えることを特徴とする請求項１記載の接触端子構造。
【請求項３】
前記置き台側の接触端子が、前記電源ピンを複数本備えることを特徴とする請求項１または２記載の接触端子構造。
【請求項４】
第１及び第２の接触板を有する携帯端末側の接触端子と、
前記第１の接触板と相対向して位置し、前記第１の接触板に接離可能に移動可能な電源ピンと、該電源ピンが前記第１の接触板に当接して押圧された際に、前記携帯端末側の接触端子の前記第２の接触板と当接して該電源ピンへの電力の供給を切り替える電源供給切替ピンとを有する置き台側の接触端子とを備えることを特徴とする接触端子構造。
【請求項５】
前記電源供給切替ピンは、前記第２の接触板に接離可能に移動可能であることを特徴とする請求項４記載の接触端子構造。
【請求項６】
前記置き台側の接触端子が、前記電源ピン及び前記電源供給切替ピンを各々複数本備えることを特徴とする請求項４または５記載の接触端子構造。
【発明の詳細な説明】
【技術分野】
【０００１】
本発明は、接触端子構造に関し、特に、置き台（ステーション）から２次電池を実装した携帯電話機等の携帯端末に電源を供給する際に用いられる接触端子構造に関する。
【背景技術】
【０００２】
従来、携帯電話機等に置き台から電源を供給するにあたって、例えば、図５に示すような接触端子構造が使用されている。
【０００３】
この接触端子構造は、大別して、携帯端末４１に実装される接触端子４２と、置き台４３に実装される接触端子４４と、接触端子４４へ電源の供給のＯＮ／ＯＦＦを行うマイクロスイッチ４５とで構成される。
【０００４】
携帯端末４１の接触端子４２は、接触板５６を２枚備え、接触板５６の各々は、接触端子４４の電源ピン５１またはグランドピン５２に当接可能に設けられる。
【０００５】
置き台４３の接触端子４４は、置き台４３に実装されている図示しないばねによって上下方向に移動可能な電源ピン５１及びグランドピン５２を各々２個づつ備える。電源ピン５１は、ＦＥＴ（電界効果トランジスタ、Field Effect Transistor）５０を介してＡＣ−ＤＣ電源５３に接続され、ＡＣ−ＤＣ電源５３へはＡＣコンセント５４を介して交流電圧が印可される。グランドピン５２は、接地される。マイクロスイッチ４５は、一端が接地され、他端がＦＥＴ５０に接続される。
【０００６】
携帯端末４１を置き台４３に実装する場合には、携帯端末４１の接触端子４２の接触板５６と、置き台４３の電源ピン５１及びグランドピン５２が接触し、携帯端末４１の下端部によってマイクロスイッチ４５がＯＮし、ＦＥＴ５０を介してＡＣ−ＤＣ電源５３から接触端子４４に電力が供給される。これによって、接触端子４４から電源ピン５１、接触板５６を介して携帯端末４１の接触端子４２に電力が供給されることとなる。
【０００７】
一方、携帯端末４１を置き台４３から取り外す場合には、マイクロスイッチ４５がＯＦＦすることによってＦＥＴ５０のゲートがＯＦＦするとともに、電源ピン５１と接触板５６とが離間することによって、接触端子４２への給電が停止する。
【０００８】
この接触端子構造では、通電した状態で２つの接触端子４２、４４を互いに接触させると、スパークが発生して端子にカーボンが付着することがある。これを頻繁に行うと、カーボンが抵抗体となり、供給電圧が低下したり電源断が発生することにより、電源供給を正常に行うことができないという問題があった。
【０００９】
そこで、特許文献１に記載のコードレス電話機の充電装置では、コードレス電話機を載置可能な充電台と、充電台の内部に収容された充電回路と、充電台の受話部受部の端面に配置されるとともに、充電回路に接続されてコードレス電話機の充電用接点に接触される充電端子ばねと、コードレス電話機の載置によって押圧されたときに充電回路を開状態に切り替える押しボタンを有する切替スイッチとを備え、コードレス電話機を充電台から離脱したときにその充電用接点が充電端子ばねから離脱するのに先立って充電回路を開状態に切り替えることにより、大きな充電電流を供給しても、コードレス電話機を離脱する時に充電用接点と充電端子ばねとの間の火花の発生を防止して接触不良を防止している。
【００１０】
【特許文献１】実開平５−８８０５２号公報
【発明の開示】
【発明が解決しようとする課題】
【００１１】
しかし、上記特許文献１及び図５に示した従来の接触端子構造においては、置き台４３の接触端子４４とマイクロスイッチ４５の位置関係と、携帯端末の形状によっては、置き台４３に携帯端末４１を実装してもマイクロスイッチ４５がＯＮにならない場合があるため、携帯端末４１を実装する置き台４３の構造設計時に、接触端子４４への電源供給のＯＮ／ＯＦＦの切替を行うマイクロスイッチ５の設置場所を、携帯端末側の形状を考慮して設計しなければならないという問題があった。
【００１２】
また、マイクロスイッチ４５は、携帯端末４１の自重によってＯＮ／ＯＦＦ動作が行われるようになっているため、携帯端末４１の取り扱いによっては、自重の重い携帯端末４１の角部等が直接マイクロスイッチ４５に衝突し、その際の衝撃によってマイクロスイッチ４５が破壊されるおそれや、水、埃等がマイクロスイッチ４５の内部に侵入し、動作不良となるおそれがあった。
【００１３】
さらに、接触端子４４と、マイクロスイッチ４５とはある程度離間した状態で実装されるため、誤って携帯端末４１に触れた時等、接触端子４２、４４が互いに接触状態にあるにも拘わらず、マイクロスイッチ４５が離れることがあり、接触端子４２、４４への電源供給が途切れるおそれがあるという問題があった。
【００１４】
そこで、本発明は、上記従来の接触端子構造等における問題点に鑑みてなされたものであって、マイクロスイッチ等の設置場所を携帯端末側の形状を考慮して設計する必要がなく、マイクロスイッチ等の破壊や、動作不良のおそれがなく、接触端子への電源供給が途切れるおそれもない接触端子構造を提供することを目的とする。
【課題を解決するための手段】
【００１５】
上記目的を達成するため、本発明は、接触端子構造であって、接触板を有する携帯端末側の接触端子と、前記接触板と相対向して位置し、前記接触板に接離可能に移動可能な電源ピンと、該電源ピンが前記接触板に当接して押圧された際に、該電源ピンと当接して該電源ピンへの電力の供給を切り替えるマイクロスイッチとを有する置き台側の接触端子とを備えることを特徴とする。
【００１６】
そして、本発明によれば、電源ピンが接触板に当接して押圧されると、電源ピンがマイクロスイッチと当接して電源ピンへの電力の供給を切り替えるため、マイクロスイッチ等の設置場所を携帯端末側の形状を考慮して設計する必要がない。また、置き台のマイクロスイッチの取付用固定部品が不要となり、装置構成を簡易化することができる。また、携帯端末を置き台へ実装したり、置き台から取り外す際に、携帯端末と置き台の端子同士が接触しているときにマイクロスイッチがＯＮ／ＯＦＦするため、接触不良の問題がなくなり、接触端子への電源供給が途切れるおそれもない。さらに、マイクロスイッチが接触端子の内部に実装されることにより、外部からの衝撃によるマイクロスイッチの破壊、水、埃等の環境要因によるマイクロスイッチの動作不良のおそれがなく、接触端子への電源供給が途切れるおそれがない。
【００１７】
前記接触端子構造において、前記携帯端末のケーシングが前記電源ピンを介して前記マイクロスイッチに衝撃を与えるのを防止する障壁を前記置き台に備えるようにすることができる。これによって、外部からの衝撃によるマイクロスイッチの破壊をさらに確実に防止することができる。
【００１８】
さらに、前記接触端子構造において、前記置き台側の接触端子が、前記電源ピンを複数本備えるようにすることができる。これによって、１本の電源ピンが接触不良を起こしても、残りのピンで電力の供給を行うことができるとともに、接触不良における電圧降下を最低限に抑えることができる。
【００１９】
また、本発明は、接触端子構造であって、第１及び第２の接触板を有する携帯端末側の接触端子と、前記第１の接触板と相対向して位置し、前記第１の接触板に接離可能に移動可能な電源ピンと、該電源ピンが前記第１の接触板に当接して押圧された際に、前記携帯端末側の接触端子の前記第２の接触板と当接して該電源ピンへの電力の供給を切り替える電源供給切替ピンとを有する置き台側の接触端子とを備えることを特徴とする。
【００２０】
本発明によれば、電源ピンが第１の接触板に当接して押圧された際に、該電源ピンが電源供給切替ピンと当接して電力の供給を切り替えるため、マイクロスイッチが不要となり、マイクロスイッチの設置場所を携帯端末側の形状を考慮して設計する必要がなく、簡易な構成を有する接触端子構造を提供することができる。また、携帯端末を置き台へ実装したり、置き台から取り外す際に、携帯端末と置き台の端子同士が接触しているときに電源供給切替ピンが接触端子への電力の供給を切り替えるため、接触不良の問題がなくなり、接触端子への電源供給が途切れるおそれもない。さらに、電源供給切替ピンが接触端子の内部に実装されることにより、外部からの衝撃、水、埃等の環境要因による動作不良のおそれがなく、接触端子への電源供給が途切れるおそれがない。
【００２１】
前記接触端子構造において、前記電源供給切替ピンを、前記第２の接触板に接離可能に移動可能に構成することができる。これによって、電源供給切替ピンと第２の接触板との接触をさらに確実に行うことができ、携帯端末に対してより安定した電力の供給を行うことができる。
【００２２】
さらに、前記接触端子構造において、前記置き台側の接触端子が、前記電源ピン及び前記電源供給切替ピンを各々複数本備えるようにすることができる。これによって、１本の電源ピン等が接触不良を起こしても、残りのピンで電力の供給を行うことができるとともに、電源供給切替ピンと第２の接触板との接触をさらに確実に行うことができる。
【発明の効果】
【００２３】
以上説明したように、本発明によれば、マイクロスイッチ等の設置場所を携帯端末側の形状を考慮して設計する必要がなく、マイクロスイッチ等の破壊や、動作不良のおそれがなく、接触端子への電源供給が途切れるおそれもない接触端子構造を提供することが可能となる。
【発明を実施するための最良の形態】
【００２４】
図１乃至図３は、本発明にかかる接触端子構造の一実施の形態を示し、この接触端子構造は、大別して、携帯端末１に実装される接触端子２と、置き台３に実装される接触端子４と、接触端子４へ電源の供給のＯＮ／ＯＦＦを行うマイクロスイッチ５とで構成される。
【００２５】
携帯端末１の接触端子２は、接触板１６を２枚備え、接触板１６の各々は、電源ピン１１またはグランドピン１２に当接可能に設けられる。
【００２６】
置き台３の接触端子４は、置き台３に実装されている図示しないばねによって上下方向に移動可能な電源ピン１１及びグランドピン１２を各々２個づつ備える。このように構成したのは、１本のピンが接触不良を起こしても、残りの１ピンで電源供給等を行うことを可能とし、また接触不良における電圧降下を最低限に抑えるためである。電源ピン１１は、ＦＥＴ１０を介してＡＣ−ＤＣ電源１３に接続され、ＡＣ−ＤＣ電源１３へはＡＣコンセント１４を介して交流電圧が印可される。グランドピン１２は、接地される。
【００２７】
マイクロスイッチ５は、電源ピン１１の下方に配置され、図２に明示されるように、電源ピン１１が下降することによってマイクロスイッチ５がＯＮし、電源ピン１１が上昇することによってマイクロスイッチ５がＯＦＦする。マイクロスイッチ５は、一端が接地され、他端がＦＥＴ１０に接続される。
【００２８】
置き台３は、図３に示すように、携帯端末の角部１９を電源ピン１１に不用意に当接させてもマイクロスイッチ５を破壊しないように、電源ピン１１とグランドピン１２との間に障壁１８を備える。
【００２９】
次に、上記構成を有する接触端子構造の動作について説明する。
【００３０】
携帯端末１を置き台３に実装する場合には、携帯端末１の接触端子２の接触板１６と、置き台３の電源ピン１１とが先ず接触する。次に、図２に示すように、電源ピン１１の下方に位置するマイクロスイッチ５がＯＮし、ＦＥＴ１０を介してＡＣ−ＤＣ電源１３から接触端子４に電力が供給される。これによって、接触端子４から電源ピン１１、接触板１６を介して携帯端末１の接触端子２に電力が供給されることとなる。
【００３１】
一方、携帯端末１を置き台３から取り外す場合には、まず、マイクロスイッチ５がＯＦＦすることにより、ＦＥＴ１０のゲートがＯＦＦし、接触端子４への電源供給が停止した後、電源ピン１１と接触板１６とが離間する。
【００３２】
次に、本発明の他の実施の形態について、図４を参照して詳細に説明する。
【００３３】
この接触端子構造は、携帯端末２１に実装される接触端子２２と、置き台２３に実装される接触端子２４とで構成される。
【００３４】
携帯端末２１の接触端子２２は、接触板３６を３枚備え、接触板３６の各々は、電源供給ピン２８または電源供給切替ピン２９に当接可能に設けられる。
【００３５】
置き台２３の接触端子２４は、置き台２３に実装されている図示しないばねによって上下方向に移動可能な電源供給ピン２８及び電源供給切替ピン２９を各々２個づつ備える。電源供給ピン２８は、ＦＥＴ３０を介してＡＣ−ＤＣ電源３３に接続され、ＡＣ−ＤＣ電源３３へはＡＣコンセント３４を介して交流電圧が印可される。電源供給切替ピン２９の一方は接地され、他端はＦＥＴ３０に接続される。
【００３６】
次に、上記構成を有する接触端子構造の動作について説明する。
【００３７】
携帯端末２１を置き台２３に実装する場合には、携帯端末２１の接触端子２２の接触板３６と、置き台２３の電源供給ピン２８とが先ず接触する。その後、中央の電源供給切替ピン２９が接触板３６と接触し、ＦＥＴ３０のゲートをＯＮし、ＦＥＴ３０を介してＡＣ−ＤＣ電源３３から接触端子２４に電力が供給される。これによって、接触端子２４から電源供給ピン２８、接触板３６を介して携帯端末２１の接触端子２２に電力が供給されることとなる。
【００３８】
一方、携帯端末２１を置き台２３から取り外す場合には、まず、電源供給切替ピン２９が接触板３６から離れ、ＦＥＴ３０のゲートがＯＦＦすることにより電源供給ピン２８への電力の供給が停止する。その後、両側の電源供給ピン２８が接触板３６から離れる。
【図面の簡単な説明】
【００３９】
【図１】本発明にかかる接触端子構造の一実施の形態を示す概略構成図である。
【図２】図１の接触端子構造の接触端子の概略断面図である。
【図３】図１の接触端子構造の接触ピンの保護構造を示す図である。
【図４】本発明にかかる接触端子構造の他の実施の形態を示す概略構成図である。
【図５】従来の接触端子構造の一例を示す概略構成図である。
【符号の説明】
【００４０】
１      携帯端末
２      接触端子
３      置き台
４      接触端子
５      マイクロスイッチ
１０    ＦＥＴ
１１    電源ピン
１２    グランドピン
１３    ＡＣ−ＤＣ電源
１４    ＡＣコンセント
１６    接触板
１８    障壁
１９    （携帯端末の）角部
２１    携帯端末
２２    接触端子
２３    置き台
２４    接触端子
２８    電源供給ピン
２９    電源供給切替ピン
３０    ＦＥＴ
３３    ＡＣ−ＤＣ電源
３４    ＡＣコンセント
３６    接触板
【図１】
2005217571.tif 000003
【図２】
2005217571.tif 000004
【図３】
2005217571.tif 000005
【図４】
2005217571.tif 000006
【図５】
2005217571.tif 000007